(57)【要約】【課題】本発明は、複数のカラーパッチからなるパッチ群が並んだカラーチャートを作成するカラーチャート作成方法等に関し、色変換定義を効率良く修正することができるカラーチャートを作成するカラーチャート作成方法等を提供することを目的とする。【解決手段】各所定色のカラーパッチからなる固定パッチ群５０５と、取得されたカラー画像の各部の色が色空間上の複数の領域それぞれに出現する頻度が高い方から優先的に選択された各領域を代表する各色のカラーパッチからなる画像依存パッチ群５０６とが並んだカラーチャート５００を作成する。【選択図】        図１３
2006197457.tif 000002
【特許請求の範囲】
【請求項１】
カラー画像を取得する画像取得過程と、
前記画像取得過程で取得されたカラー画像の各部の色が色空間上の複数の領域それぞれに出現する頻度が高い方から優先的に該領域を選択する領域選択過程と、
各所定色のカラーパッチからなる第１パッチ群と、前記領域選択過程で選択された各領域を代表する各色のカラーパッチからなる第２パッチ群とが並んだカラーチャートを作成するチャート作成過程とを有することを特徴とするカラーチャート作成方法。
【請求項２】
前記チャート作成過程が、前記第２パッチ群として、前記領域選択過程で選択された各領域を代表する各色のカラーパッチが前記頻度の順に配列されてなるパッチ群を用いる過程であることを特徴とする請求項１記載のカラーチャート作成方法。
【請求項３】
カラー画像を取得する画像取得部と、
前記画像取得部で取得されたカラー画像の各部の色が色空間上の複数の領域それぞれに出現する頻度が高い方から優先的に該領域を選択する領域選択部と、
各所定色のカラーパッチからなる第１パッチ群と、前記領域選択部で選択された各領域を代表する各色のカラーパッチからなる第２パッチ群とが並んだカラーチャートを作成するチャート作成部とを備えたことを特徴とするカラーチャート作成装置。
【請求項４】
コンピュータに組み込まれ、該コンピュータ上に、
カラー画像を取得する画像取得部と、
前記画像取得部で取得されたカラー画像の各部の色が色空間上の複数の領域それぞれに出現する頻度が高い方から優先的に該領域を選択する領域選択部と、
各所定色のカラーパッチからなる第１パッチ群と、前記領域選択部で選択された各領域を代表する各色のカラーパッチからなる第２パッチ群とが並んだカラーチャートを作成するチャート作成部とを構築することを特徴とするカラーチャート作成プログラム。
【請求項５】
画像データに基づくカラー画像を出力する第１のデバイスに依存した第１デバイス色空間と、画像データに基づくカラー画像を出力する第２のデバイスに依存した第２デバイス色空間との間の色変換の関係を定義した色変換定義を修正する色変換定義修正方法において、
各所定色のカラーパッチからなる第１パッチ群と、所定のカラー画像の各部の色が色空間上の複数の領域それぞれに出現する頻度が高い方から優先的に選択された各領域を代表する各色のカラーパッチからなる第２パッチ群とが並んだカラーチャートを前記第１デバイス色空間で色を表現した第１チャートデータに基づいて前記カラーチャートを前記第１のデバイスで出力する第１のチャート出力過程と、
前記第１チャートデータを、前記色変換定義に基づいて、前記第２のデバイス色空間で色を表現した第２チャートデータに変換する色変換過程と、
前記色変換過程で得られた第２チャートデータに基づいて前記カラーチャートを前記第２のデバイスで出力する第２のチャート出力過程と、
前記第１のチャート出力過程で出力されたカラーチャートの各カラーパッチと、前記第２のチャート出力過程で出力されたカラーチャートの各カラーパッチとを測色することによって、それらのカラーチャート間で相互に対応するカラーパッチにおける色の差異を求める差異測定過程と、
前記差異測定過程で求められた差異のうち、前記第２パッチ群のカラーパッチにおける差異を、前記第１パッチ群のカラーパッチにおける差異よりも重視して前記色変換定義を修正する定義修正過程とを有することを特徴とする色変換定義修正方法。
【発明の詳細な説明】
【技術分野】
【０００１】
本発明は、複数のカラーパッチからなるパッチ群が並んだカラーチャートを作成するカラーチャート作成方法、そのようなカラーチャートを作成するカラーチャート作成装置、およびコンピュータにそのようなカラーチャートを作成させるカラーチャート作成プログラム、ならびに画像データに基づくカラー画像を出力する第１のデバイスに依存した第１デバイス色空間と、画像データに基づくカラー画像を出力する第２のデバイスに依存した第２デバイス色空間との間の色変換の関係を定義した色変換定義を修正する色変換定義修正方法に関する。
【背景技術】
【０００２】
従来より、例えばカラースキャナや電子スチールカメラ等といった入力デバイスで画像（以下、この画像を原稿画像と称する）を取り込んで画像データを得、その画像データに基づいて今度は印刷機やプリンタやディスプレイ画面等といった出力デバイスでその原稿画像が再現された再現画像を得ることが行われている。この場合、入力デバイスに応じた、原稿画像上の色と画像データにおける色表現とを対応付ける色変換定義（入力プロフィル）と、出力デバイスに応じた、画像データにおける色表現と再現画像上の色とを対応付ける色変換定義（出力プロファイル）とを求め、入力デバイスで原稿画像から得られた画像データを、それら双方の色変換定義（入力プロファイルおよび出力プロファイル）を結合させた１つの色変換定義（デバイスリンクプロファイル）に基づいて出力デバイスに適合した画像データに変換し、その出力デバイス用の画像データに基づいて再現画像を出力する。こうすることにより、もともとの原稿画像と色彩的に極力同一に似せた再現画像を得ることができる。
【０００３】
また、これと同様のことは、出力デバイスどうしの間でも成立する。例えば、印刷機を用いたカラー画像の印刷を行うにあたっては、印刷を行う前に、カラープリンタ等を用いて、その印刷機で印刷される画像の色と極力同じ色に似せたプルーフ画像を作成することが行われている。プリンタでプルーフ画像を作成するにあたっては、印刷を行おうとしている印刷機に対応した、例えばＣ（Ｃｙａｎ：シアン）、Ｍ（Ｍａｇｅｎｔａ：マゼンタ）、Ｙ（Ｙｅｌｌｏｗ：イエロー）、Ｋ（Ｂｌａｃｋ：黒）の各網％を表す印刷用の画像データと、その印刷用の画像データに基づいて出力される実際の印刷物の色を表す測色値との対応を定義した色変換定義（印刷プロファイル）と、プルーフ画像を出力しようとしているプリンタに対応した、例えばＣＭＹＫの各網％を表すプリンタ用の画像データと、そのプリンタ用の画像データに基づいて実際にプリント出力されるプルーフ画像の色を表す測色値との対応を定義した色変換定義（プリンタプロファイル）とを知り、これらの印刷プロファイルとプリンタプロファイルとを結合させた１つの色変換定義（デバイスリンクプロファイル）に基づいて印刷用の画像データをプリンタ用の画像データに変換し、この変換されたプリンタ用の画像データに基づいてプルーフ画像を作成する。こうすることにより、実際の印刷物と色彩的に極力同一に似せたプルーフ画像を作成することができる。
【０００４】
上記のようにして色を一致させた画像を得るためには、カラースキャナや電子スチールカメラなどといった入力デバイスの色変換定義（入力プロファイル）や、印刷機やプリンタなどといった出力デバイスの色変換定義（出力プロファイル）を正確に求める必要がある。
【０００５】
この入力プロファイルや出力プロファイルといった色変換定義を求めるにあたっては、例えば入力デバイスの場合は、カラーパッチが配列されたカラーチャートをその入力デバイスで読み取って画像データに変換し、例えばＣ、Ｍ、Ｙ、Ｋの４色からなるＣＭＹＫ色空間、あるいはＲ（Ｒｅｄ：赤）、Ｇ（Ｇｒｅｅｎ：緑）、Ｂ（Ｂｌｕｅ：青）の３色からなるＲＧＢ色空間などといった、デバイスに依存した色空間（以下、このような色空間をデバイス依存色空間と称する）の座標値（ＣＭＹＫ値あるいはＲＧＢ値などといったデバイス値）を求めるとともに、その同じカラーチャートを構成する各カラーパッチを分光測色計で測色して、例えばＬ*ａ*ｂ*色空間あるいはＸＹＺ色空間などといった、デバイスに対して非依存の色空間（以下、このような色空間をデバイス非依存色空間と称する）の座標値（Ｌ*ａ*ｂ*値あるいはＸＹＺ値などといった測色値）を求め、それらデバイス依存色空間の複数のデバイス値とデバイス非依存色空間の複数の測色値とを１対１に対応付けることによって入力プロファイルを求めることができる。
【０００６】
また、出力デバイスの場合は、例えばＣＭＹＫの４色それぞれについて網％を０％，１０％，……，１００％のように順次変化させた複数種類の網点面積率それぞれに対応するカラーパッチが配列されたカラーチャートに相当するチャートデータを作成し、そのチャートデータに基づいて出力デバイスでカラーチャートを出力し、その出力されたカラーチャートを構成する各カラーパッチを分光測色計で測色し、そのようにして得られたデバイス依存色空間の複数のデバイス値とデバイス非依存色空間の複数の測色値とを１対１に対応付けることによって出力プロファイルを求めることができる。
【０００７】
基本的にはこのようにして入力プロファイルや出力プロファイルといった色変換定義が求められるが、上述したような対応関係は、色空間上かなり粗い、まばらな座標値に対応する対応関係であり、実際に色変換に用いる色変換定義としては粗すぎるものである。従って、上述したように得られた１対１の対応付けに基づいて、補間演算等により、デバイス値と測色値との１対１の対応数を増やすことなどが行なわれることによって、最終的に所望の色変換定義が求められる。
【０００８】
ところが、このようにして入力プロファイルや出力プロファイルといった色変換定義を求め、その色変換定義に基づいて画像データを変換しても、分光測色計による測定誤差や、その色変換定義を作成しようとしている対象のデバイスにおける出力特性に起因したカラーパッチの色誤差や、肌色に代表される実用上の重要色のカラーパッチをカラーチャートに追加することによる色誤差などといった様々な誤差や変動要因によって、原稿画像と再現画像との間、あるいは印刷物とプルーフ画像との間で色が微妙に食い違うという現象が生じるおそれがある。
【０００９】
ここで、このような現象に対処するためには、入力プロファイルや、出力プロファイルや、入力プロファイルと出力プロファイルとを結合させたデバイスリンクプロファイルといった色変換定義を修正することが考えられる。以下では、デバイスリンクプロファイルを例として用いて色変換定義の修正方法について説明する。
【００１０】
先ず、印刷用のＣＭＹＫ４色の各網％それぞれに対応するカラーパッチが配列されたカラーチャートを表す印刷用のチャートデータに基づいて印刷機でカラーチャートを出力し、出力されたカラーチャートを構成する各カラーパッチを分光測色計で測色する。
【００１１】
次に、その印刷用のチャートデータを、デバイスリンクプロファイルを用いてプリンタ用のチャートデータに変換し、そのプリンタ用のチャートデータに基づいてプリンタでカラーチャートをプリント出力し、プリント出力されたカラーチャートを構成する各カラーパッチを分光測色計で測色する。
【００１２】
そして、印刷機で出力されたカラーチャートを構成する各カラーパッチを測色して得られた測色値と、プリンタでプリント出力されたカラーチャートを構成する各カラーパッチを測色して得られた測色値との色差に基づいて色変換定義を修正することによって、実用的なカラーマッチング精度がより一層高められたデバイスリンクプロファイルを得ることができる（例えば、特許文献１参照）。
【特許文献１】特開２０００−２７８５４７号公報
【発明の開示】
【発明が解決しようとする課題】
【００１３】
上述した特許文献１に提案された修正方法によれば、カラーパッチが分光測色計で測色されて得られた客観的な測色値に基づいて、カラーパッチの色の差異が減少するようにデバイスリンクプロファイルが修正されるため、デバイスリンクプロファイルの精度が上がり、実際の印刷物と色の一致したプルーフ画像が作成されることとなる。このような修正を繰り返すことによって、次第にデバイスリンクプロファイルの精度を上げることができる。また、カラーパッチ数の多いカラーチャートを色変換定義の修正に用いると、測定点が増えることとなるため、デバイスリンクプロファイルの精度をより一層向上させることができる。ところが、カラーパッチ数の多いカラーチャートを色変換定義の修正に用いた場合には、カラーパッチを測色する測定時間が長くなることとなり、その結果、デバイスリンクプロファイルの修正に多大な時間を要し、色変換定義の修正の効率が悪いといった問題がある。
【００１４】
また、カラーパッチの色の差異を表す、測色値の差異の平均値が３よりも小さい場合には、上述した特許文献１に提案された修正方法による修正を繰り返すと、その差異の平均値が減少して数値的には精度が向上するものの、実際の印刷物とプルーフ画像とを目視で比較するときに観察者が感じる色の差異は改善されないことが知られている。
【００１５】
本発明は、上記事情に鑑み、色変換定義を効率良く修正することができるカラーチャートを作成するカラーチャート作成方法、そのようなカラーチャートを作成するカラーチャート作成装置、およびコンピュータにそのようなカラーチャートを作成させるカラーチャート作成プログラム、ならびにそのようなカラーチャートを用いて色変換定義を修正する色変換定義修正方法を提供することを目的とするものである。
【課題を解決するための手段】
【００１６】
上記目的を達成する本発明のカラーチャート作成方法は、
カラー画像を取得する画像取得過程と、
上記画像取得過程で取得されたカラー画像の各部の色が色空間上の複数の領域それぞれに出現する頻度が高い方から優先的にその領域を選択する領域選択過程と、
各所定色のカラーパッチからなる第１パッチ群と、上記領域選択過程で選択された各領域を代表する各色のカラーパッチからなる第２パッチ群とが並んだカラーチャートを作成するチャート作成過程とを有することを特徴とする。
【００１７】
尚、本発明のカラーチャート作成方法によって作成されるカラーチャートは、カラーチャートを表すチャートデータであってもよく、あるいは、カラーチャートを表すチャートデータに基づいて実際に出力された画像であってもよい。
【００１８】
本発明のカラーチャート作成方法は、各所定色のカラーパッチからなる第１パッチ群と、取得されたカラー画像の各部の色が色空間上の複数の領域それぞれに出現する頻度が高い方から優先的に選択された各領域を代表する各色のカラーパッチからなる第２パッチ群とが並んだカラーチャートを作成するものであるため、画像取得過程で取得するカラー画像として、ユーザが重要と考える色を含んだカラー画像を用意し、用意したこのカラー画像を画像取得過程で取得することによって、このカラー画像に基づく好適なカラーチャートが作成されることとなる。従って、このようなカラーチャートを色変換定義の修正に用いると、ユーザが重要と考える色がより一層一致した、修正されて実用的なカラーマッチング精度が高められた色変換定義を効率良く得ることができる。
【００１９】
ここで、上記本発明のカラーチャート作成方法は、上記チャート作成過程が、上記第２パッチ群として、上記領域選択過程で選択された各領域を代表する各色のカラーパッチが上記頻度の順に配列されてなるパッチ群を用いる過程であることが好ましい。
【００２０】
このような好ましい形態によれば、例えば、パッチ群の中からカラーパッチをユーザが手動で選択して色変換定義の修正に適用するというようなときに便利なカラーチャートが得られる。
【００２１】
また、上記目的を達成する本発明のカラーチャート作成装置は、
カラー画像を取得する画像取得部と、
上記画像取得部で取得されたカラー画像の各部の色が色空間上の複数の領域それぞれに出現する頻度が高い方から優先的にその領域を選択する領域選択部と、
各所定色のカラーパッチからなる第１パッチ群と、上記領域選択部で選択された各領域を代表する各色のカラーパッチからなる第２パッチ群とが並んだカラーチャートを作成するチャート作成部とを備えたことを特徴とする。
【００２２】
尚、本発明のカラーチャート作成装置には、本発明のカラーチャート作成方法の各態様に対応する全ての態様が含まれる。
【００２３】
また、上記目的を達成する本発明のカラーチャート作成プログラムは、
コンピュータに組み込まれ、このコンピュータ上に、
カラー画像を取得する画像取得部と、
上記画像取得部で取得されたカラー画像の各部の色が色空間上の複数の領域それぞれに出現する頻度が高い方から優先的にその領域を選択する領域選択部と、
各所定色のカラーパッチからなる第１パッチ群と、上記領域選択部で選択された各領域を代表する各色のカラーパッチからなる第２パッチ群とが並んだカラーチャートを作成するチャート作成部とを構築することを特徴とする。
【００２４】
本発明のカラーチャート作成プログラムによれば、コンピュータによって本発明のカラーチャート作成装置の構成要素を容易に構築することができる。
【００２５】
また、本発明のカラーチャート作成プログラムによって構築される画像取得部などといった構成要素は、１つの構成要素が１つのプログラム部品によって構築されるものであってもよく、１つの構成要素が複数のプログラム部品によって構築されるものであってもよく、複数の構成要素が１つのプログラム部品によって構築されるものであってもよい。また、これらの構成要素は、そのような作用を自分自身で実行するものであってもよく、あるいは、コンピュータに組み込まれている他のプログラムやプログラム部品に指示を与えて実行させるものであっても良い。
【００２６】
尚、本発明のカラーチャート作成プログラムにも、本発明のカラーチャート作成方法の各態様に対応する全ての態様が含まれる。
【００２７】
また、上記目的を達成する本発明の色変換定義修正方法は、
画像データに基づくカラー画像を出力する第１のデバイスに依存した第１デバイス色空間と、画像データに基づくカラー画像を出力する第２のデバイスに依存した第２デバイス色空間との間の色変換の関係を定義した色変換定義を修正する色変換定義修正方法において、
各所定色のカラーパッチからなる第１パッチ群と、所定のカラー画像の各部の色が色空間上の複数の領域それぞれに出現する頻度が高い方から優先的に選択された各領域を代表する各色のカラーパッチからなる第２パッチ群とが並んだカラーチャートを上記第１デバイス色空間で色を表現した第１チャートデータに基づいて上記カラーチャートを上記第１のデバイスで出力する第１のチャート出力過程と、
上記第１チャートデータを、上記色変換定義に基づいて、上記第２のデバイス色空間で色を表現した第２チャートデータに変換する色変換過程と、
上記色変換過程で得られた第２チャートデータに基づいて上記カラーチャートを上記第２のデバイスで出力する第２のチャート出力過程と、
上記第１のチャート出力過程で出力されたカラーチャートの各カラーパッチと、上記第２のチャート出力過程で出力されたカラーチャートの各カラーパッチとを測色することによって、それらのカラーチャート間で相互に対応するカラーパッチにおける色の差異を求める差異測定過程と、
上記差異測定過程で求められた差異のうち、上記第２パッチ群のカラーパッチにおける差異を、上記第１パッチ群のカラーパッチにおける差異よりも重視して上記色変換定義を修正する定義修正過程とを有することを特徴とする。
【００２８】
本発明の色変換定義修正方法は、カラーチャートを色変換定義の修正に用いるにあたって、第２パッチ群のカラーパッチにおける差異を、第１パッチ群のカラーパッチにおける差異よりも重視して修正するものであるため、そのカラーチャートが作成される際に、ユーザが重要と考える色を含んだカラー画像を用意し、用意したこのカラー画像を取得してカラーチャートが作成されていれば、本発明の色変換定義修正方法によって、ユーザが重要と考える色をより一層一致させる、実用的なカラーマッチング精度が高められるような色変換定義を効率良く得ることができる。
【発明の効果】
【００２９】
本発明によれば、色変換定義を効率良く修正することができるカラーチャートを作成するカラーチャート作成方法、そのようなカラーチャートを作成するカラーチャート作成装置、およびコンピュータをそのようなカラーチャート作成装置として動作させるカラーチャート作成プログラム、ならびにそのようなカラーチャートを用いて色変換定義を修正する色変換定義修正方法が提供される。
【発明を実施するための最良の形態】
【００３０】
以下、図面を参照して本発明の実施の形態を説明する。
【００３１】
本実施形態では、本発明にいうカラーチャートの一例に相当するカラーチャートを作成し、本発明にいう色変換定義の一例に相当するデバイスリンクプロファイルを、作成されたカラーチャートを用いて修正する例で説明する。尚、このデバイスリンクプロファイルは、本発明にいう第２のデバイスの一例に相当するプリンタでプリント出力されるプルーフ画像上の色を、本発明にいう第１のデバイスの一例に相当する印刷機で得られる印刷物上の色に一致あるいは十分に近似させるためのものである。
【００３２】
図１は、本発明の一実施形態が適用された印刷およびプルーフ画像作成システムの全体構成図である。ここでは、先ずこの図１を参照して、本発明の位置づけについて説明する。
【００３３】
カラースキャナ１０では、原稿画像１１が読み取られて、その読み取った原稿画像１１を表すＣ（Ｃｙａｎ：シアン）、Ｍ（Ｍａｇｅｎｔａ：マゼンタ）、Ｙ（Ｙｅｌｌｏｗ：イエロー）、およびＫ（Ｂｌａｃｋ：黒）からなる４色の色分解画像データが生成される。このＣＭＹＫ４色の画像データはワークステーション２０に入力される。このＣＭＹＫ４色の画像データは、このワークステーション２０の内部で、ＬＵＴ（Ｌｏｏｋ  Ｕｐ  Ｔａｂｌｅ）の形式を持つ色変換定義（プロファイル）が参照され、印刷機４０に適合したＣＭＹＫ４色の色分解画像データに色変換される。また、ワークステーション２０では、オペレータにより、色変換された画像データに基づく、電子的な集版が行われ、印刷用の画像を表す画像データが生成される。この印刷用の画像データは、印刷を行う場合は、フィルムプリンタ３０に入力され、フィルムプリンタ３０では、その入力された画像データに対応した、ＣＭＹＫ各版の印刷用フィルム原版が作成される。
【００３４】
この印刷用フィルム原版からは刷版が作成され、その作成された刷版が、本発明にいう第１のデバイスの一例に相当する印刷機４０に装着される。この印刷機４０に装着された刷版にはインクが塗布され、その塗布されたインクが印刷用の用紙上に転移されてその用紙上に印刷画像４１が形成される。
【００３５】
このフィルムプリンタ３０によりフィルム原版を作成し、さらに刷版を作成して印刷機４０に装着し、その刷版にインクを塗布して用紙上に印刷を行う一連の作業は、大がかりな作業であり、コストもかかる。このため、実際の印刷作業を行う前に、本発明にいう第２のデバイスの一例に相当するプリンタ６０により、以下のようにしてプルーフ画像６１を作成し、印刷画像４１の仕上りの事前予測が行われる。
【００３６】
プルーフ画像を作成するにあたっては、ワークステーション２０上の電子集版により作成された画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ５０では、いわゆるＲＩＰ（Ｒａｓｔｅｒ  Ｉｍａｇｅ  Ｐｒｏｃｅｓｓｏｒ）により、ビットマップに展開されたＣＭＹＫ４色の画像データに変換される。このＣＭＹＫ４色の画像データは、実質的には、フィルムプリンタ３０に入力される印刷用の画像データと同一である。
【００３７】
この図１に示す分光測色計７０およびパーソナルコンピュータ８０は、カラーチャートの作成、プロファイルの作成、およびプロファイルの修正に関連するものであって、パーソナルコンピュータ８０は本発明にいうカラーチャート作成装置の一例に相当するものである。また、分光測色計７０はプロファイルの作成および修正にあたって補助的に用いられる装置であって、パーソナルコンピュータ８０は、プロファイル作成装置、および本発明にいう色変換定義修正方法を実現するためのプロファイル修正装置でもある。パーソナルコンピュータ５０には、このパーソナルコンピュータ８０を用いてあらかじめ作成および修正されたＬＵＴ（Ｌｏｏｋ  Ｕｐ  Ｔａｂｌｅ）の形式を持つデバイスリンクプロファイルが格納されている。上述した印刷用のＣＭＹＫ色空間で色を表現した画像データは、このパーソナルコンピュータ５０の内部で、そのデバイスリンクプロファイルが参照され、プリンタ６０に適合したプリンタ用のＣＭＹＫ色空間で色を表現した画像データに変換される。プリンタ６０には、そのプリンタ用の画像データが入力され、プリンタ６０では、その入力されたプリンタ用の画像データに基づくプルーフ画像６１が作成される。
【００３８】
ここで、印刷機４０による印刷で得られた画像４１とプリンタ６０で得られたプルーフ画像の色の一致の程度は、パーソナルコンピュータ５０内のデバイスリンクプロファイルにより定まる。このデバイスリンクプロファイルは、プリンタごと各プリント条件ごとに作成される。
【００３９】
また、この図１には印刷機は１台のみ示されているが印刷機も複数台存在していてもよく、あるいは１台の印刷機であっても異なる複数の印刷条件が存在してもよく、デバイスリンクプロファイルは、印刷機の相異を含めた複数の印刷条件それぞれに応じて作成される。すなわち、デバイスリンクプロファイルは、印刷条件のそれぞれとプリンタそれぞれ（１台のプリンタで複数のプリント条件が存在するときは各プリント条件それぞれ）との組合せに応じて作成されることになる。尚、このデバイスリンクプロファイルの作成方法については後述する。
【００４０】
このようにしてプルーフ画像を作成してそのプルーフ画像を確認することにより、印刷の仕上りを事前に予測することができる。
【００４１】
ここで、この図１に示す印刷およびプルーフ画像作成システムにおける、本発明の一実施形態としての特徴は、パーソナルコンピュータ８０の内部で実行される処理内容に関連があり、以下、先ず、このパーソナルコンピュータ８０について説明する。
【００４２】
図２は、図１にブロックで示す分光測色計７０およびパーソナルコンピュータ８０の外観斜視図、図３は、そのパーソナルコンピュータ８０のハードウェア構成図である。
【００４３】
ここでは、このパーソナルコンピュータ８０のハードウェアおよびＯＳ（Ｏｐｅｒａｔｉｏｎ  Ｓｙｓｔｅｍ）と、このパーソナルコンピュータ８０にインストールされて実行されるカラーチャート作成プログラムとにより、本発明にいうカラーチャート作成装置の一実施形態が構成されている。また、このパーソナルコンピュータ８０のハードウェアおよびＯＳと、このパーソナルコンピュータ８０にインストールされて実行されるプロファイル修正プログラムとにより構成されるプロファイル修正装置によって、本発明にいう色変換定義修正方法が実現される。
【００４４】
この図２に示す分光測色計７０には複数のカラーパッチが配列されたカラーチャート９０が乗せられ、そのカラーチャート９０を構成する複数のカラーパッチそれぞれの色が測色される。この分光測色計７０での測色により得られた各カラーパッチの色を表す測色値（ここでは、この測色値の一例としてのＬ*ａ*ｂ*値）は、ケーブル９１を経由してパーソナルコンピュータ８０に入力される。
【００４５】
このカラーチャート９０は、図１に１つのブロックで示す印刷機４０での印刷により、あるいはプリンタ６０でのプリント出力により作成されたものであり、パーソナルコンピュータ８０は、このカラーチャート９０を構成する各カラーパッチに対応する色データ（デバイス色空間上の座標；ＣＭＹＫあるいはＲＧＢの各値）を知っており、このパーソナルコンピュータ８０では、そのカラーチャート９０の各カラーパッチの色データと分光測色計７０で得られた測色値とに基づいて、印刷プロファイルやプリンタプロファイルが作成される。この点に関する詳細説明は後に譲り、ここでは、次に、パーソナルコンピュータ８０のハードウェア構成について説明する。
【００４６】
図２に示すように、このパーソナルコンピュータ８０は、外観構成上、本体装置８１、その本体装置８１からの指示に応じて表示画面８２ａ上に画像を表示する画像表示装置８２、本体装置８１に、キー操作に応じた各種の情報を入力するキーボード８３、および、表示画面８２ａ上の任意の位置を指定することにより、その指定時にその位置に表示されていた、例えばアイコン等に応じた指示を入力するマウス８４を備えている。この本体装置８１は、外観上、フレキシブルディスク（ＦＤ）を装填するためのＦＤ装填口８１ａ、およびＣＤ−ＲＯＭを装填するためのＣＤ−ＲＯＭ装填口８１ｂを有する。
【００４７】
本体装置８１の内部には、図３に示すように、各種プログラムを実行するＣＰＵ８１１、ハードディスク装置８１３に格納されたプログラムが読み出されＣＰＵ８１１での実行のために展開される主メモリ８１２、各種プログラムやデータ等が保存されたハードディスク装置８１３、ＦＤ１００が装填されその装填されたＦＤ１００をアクセスするＦＤドライブ８１４、ＣＤ−ＲＯＭ１１０が装填され、その装填されたＣＤ−ＲＯＭ１１０をアクセスするＣＤ−ＲＯＭドライブ８１５、図１，図２に示す分光測色計７０と接続され、分光測色計７０から測色値を受け取るＩ／Ｏインタフェース８１６が内蔵されており、これらの各種要素と、さらに図２にも示す画像表示装置８２、キーボード８３、マウス８４は、バス８５を介して相互に接続されている。
【００４８】
ここで、ＣＤ−ＲＯＭ１１０には、このパーソナルコンピュータ８０をカラーチャート作成装置として動作させるためのカラーチャート作成プログラムが記憶されており、そのＣＤ−ＲＯＭ１１０はＣＤ−ＲＯＭドライブ８１５に装填され、そのＣＤ−ＲＯＭ１１０に記憶されたカラーチャート作成プログラムがこのパーソナルコンピュータ８０にアップロードされてハードディスク装置８１３に記憶される。
【００４９】
尚、このパーソナルコンピュータ８０内に構築された、後述するプロファイルの作成機能およびプロファイルの修正機能を実現するために必要なプログラム等は既にパーソナルコンピュータ８０にインストールされているものとする。
【００５０】
上述したように、このパーソナルコンピュータ８０は、カラーチャートの作成機能、プロファイルの作成機能、およびプロファイルの修正機能を有するものであるため、以下、パーソナルコンピュータ８０における各機能を分けて順次説明する。
【００５１】
先ず、図４〜図１３を参照して、パーソナルコンピュータ８０内に構築されたカラーチャートの作成機能について説明する。
【００５２】
図４は、本発明のカラーチャート作成方法の一実施形態を示すフローチャートである。
【００５３】
このカラーチャート作成方法は、本発明にいう第１パッチ群の一例に相当する固定パッチ群と、本発明にいう第２パッチ群の一例に相当する画像依存パッチ群とが並んだカラーチャートを作成するカラーチャート作成方法であり、画像取得過程（ステップＳ１１）と、間引き処理過程（ステップＳ１２）と、領域選択過程（ステップＳ１３）と、チャート作成過程（ステップＳ１４）とから構成されている。
【００５４】
図４に示すカラーチャート作成方法の各ステップの詳細については後述する。
【００５５】
図５は、本発明のカラーチャート作成プログラムの一実施形態を示した図である。
【００５６】
この図５に示すカラーチャート作成プログラム２１０は、図３に示すＣＤ−ＲＯＭ１１０に記憶されている。
【００５７】
このカラーチャート作成プログラム２１０は、図１，図２，図３に示すパーソナルコンピュータ８０内で実行され、そのパーソナルコンピュータ８０を、本発明にいうカラーチャート作成装置の一実施形態として動作させるものである。このカラーチャート作成プログラム２１０は、画像取得部２１１と、間引き処理部２１２と、領域選択部２１３と、チャート作成部２１４とから構成されている。
【００５８】
このカラーチャート作成プログラム２１０によって構築される画像取得部２１１、間引き処理部２１２、領域選択部２１３、およびチャート作成部２１４の各要素は、それぞれ、このカラーチャート作成プログラム２１０が図１，図２，図３に示すパーソナルコンピュータ８０にインストールされて実行されたときに、図４に示すカラーチャート作成方法の画像取得過程（ステップＳ１１）、間引き処理過程（ステップＳ１２）、領域選択過程（ステップＳ１３）、およびチャート作成過程（ステップＳ１４）の各ステップを実行するプログラム部品である。
【００５９】
このカラーチャート作成プログラム２１０の各要素の詳細説明は後に譲る。
【００６０】
図６は、本発明のカラーチャート作成装置の一実施形態を示す機能ブロック図である。
【００６１】
この図６に示すカラーチャート作成装置３００は、図１，図２，図３に示すパーソナルコンピュータ８０に、図５に示すカラーチャート作成プログラム２１０がインストールされ、そのカラーチャート作成プログラム２１０がそのパーソナルコンピュータ８０内で実行されることにより実現される。
【００６２】
この図６に示すカラーチャート作成装置３００は、本発明にいう第１パッチ群の一例に相当する固定パッチ群と、本発明にいう第２パッチ群の一例に相当する画像依存パッチ群とが並んだカラーチャートを作成するものであって、このカラーチャート作成装置３００には、画像取得部３１１と、間引き処理部３１２と、領域選択部３１３と、チャート作成部３１４とが備えられている。
【００６３】
このカラーチャート作成装置３００に備えられている画像取得部３１１、間引き処理部３１２、領域選択部３１３、およびチャート作成部３１４の各要素は、それぞれ、図５に示すカラーチャート作成プログラム２１０を構成するプログラム部品としての画像取得部２１１、間引き処理部２１２、領域選択部２１３、およびチャート作成部２１４の各要素が、それらのプログラム部品の各機能を実現するために必要な、図１，図２，図３に示すパーソナルコンピュータ８０のハードウェアとＯＳやアプリケーションプログラムと組み合わさることで構築されている。
【００６４】
次に、図４に示すカラーチャート作成方法の各ステップ、図５に示すカラーチャート作成プログラム２１０の各プログラム部品、および図６に示すカラーチャート作成装置３００の各要素について説明する。
【００６５】
尚、図５に示すカラーチャート作成プログラム２１０の各プログラム部品および図６に示すカラーチャート作成装置３００の各要素は、図４に示すカラーチャート作成方法の各ステップに一対一に対応しており、ここでは、図４に示すカラーチャート作成方法の各ステップを取り上げて説明することで、図５に示すカラーチャート作成プログラム２１０の各プログラム部品の説明および図６に示すカラーチャート作成装置３００の各要素の説明を兼ねるものとする。
【００６６】
先ず、図４に示すカラーチャート作成方法の画像取得過程（ステップＳ１１）で、カラー画像が記録されたＣＤ−ＲＯＭが、図６に示すカラーチャート作成装置３００として機能する、図１，図２，図３に示すパーソナルコンピュータ８０のＣＤ−ＲＯＭ装填口８１ｂに装填され、その装填されたＣＤ−ＲＯＭがＣＤ−ＲＯＭドライブ８１５によってアクセスされることによってそのカラー画像が取得される。
【００６７】
図７は、図４に示すカラーチャート作成方法の画像取得過程（ステップＳ１２）で取得されたカラー画像の一例を示す図である。
【００６８】
この図７には、画像取得過程（ステップＳ１２）で取得されたカラー画像の一例としての評価用画像４００が示されていて、この評価用画像４００は、印刷機４０に対応した印刷用のＣＭＹＫ色空間で色を表現した評価用画像データにより表される、印刷用のＣＭＹＫ色空間で色を表現したカラー画像である。本来、この評価用画像４００は、印刷機４０（図１参照）によって印刷物として出力されるとともに、パーソナルコンピュータ５０（図１参照）およびプリンタ６０（図１参照）によってプルーフ画像としても出力され、これら印刷物の色とプルーフ画像の色が比較されることによって、ユーザによるプリンタ６０の再現性評価に用いられるものであって、このような再現性評価に望ましい５つのカラー画像４０１，４０２，４０３，４０４，４０５が配置された複合画像である。
【００６９】
次に、図４に示す間引き処理過程（ステップＳ１２）では、画像取得過程（ステップＳ１１）で取得されたカラー画像（ここでは評価用画像４００；図７参照）に対して、人間の視覚の周波数特性を近似した、出力上の解像度が２５〜１２０ｄｐｉ程度になるようなガウシアンフィルタをかけることによってそのカラー画像に対して間引き処理が施される。
【００７０】
次に、図４に示す領域選択過程（ステップＳ１３）では、先ず、間引き処理過程（ステップＳ１２）で間引き処理が施された評価用画像の各画素の色について出現頻度の統計処理が実行されて、後述する、印刷用のＣＭＹＫ色空間を分割した複数の領域それぞれに対する出現頻度が求められ、求められた頻度が高い方から領域が抽出される。次に、この抽出された領域の中から、後述する選択手順で領域が選択される。本実施形態では、評価用画像全体の色の分布の傾向を広く捕えるための、印刷用のＣＭＹＫ色空間を１０％ステップで分割した領域、および、精度が要求される色の分布を精度良く捕えるための、印刷用のＣＭＹＫ色空間を５％ステップで分割した領域について色の出現頻度が算出され、その頻度が高い方から優先的に領域が選択される。
【００７１】
図８〜図１１は、図４に示す領域選択過程（ステップＳ１３）における領域選択の手順を説明する説明図である。
【００７２】
図８には、印刷用のＣＭＹＫ色空間を１０％ステップで分割した各領域を代表する各色のカラーパッチが、統計処理によって求められた頻度の順に配列されてなる１０％パッチ群５０１が示されていて、ここでは、領域を代表する色として、各領域の中心点に相当する色が採用されている。ここでは、図示の便宜上、限られた数のカラーパッチが図示されているが、この段階では全領域に選択の優先順位が与えられただけで、領域の選択は行われていない。また、１０％パッチ群５０１の下には、各カラーパッチの色を表現したＣＭＹＫ値の表が示されている。この図８に示す１０％パッチ群５０１を構成する各カラーパッチの中には、後述する図１２に示す網％データにより表される固定パッチ群を構成するカラーパッチと色が重複しているカラーパッチが存在する場合があるため、色が重複するカラーパッチは１０％パッチ群５０１から削除される。また、印刷用のＣＭＹＫ色空間において
Ｌ*＜３０
に相当する領域に含まれる暗い色は、本実施形態のカラーチャート作成方法によって作成されるカラーチャートを、後述するデバイスリンクプロファイルの修正に用いるにあたって、実用的なカラーマッチング精度を高める効果が小さいことから１０％パッチ群５０１から削除される。また、１０％ステップで色空間が分割された領域による色の頻度統計は、画像の全体的な色の傾向をプロファイルに反映させるためのものなので、印刷用のＣＭＹＫ色空間において
Ｃ*＜３０、但し、Ｃ*＝√（（ａ*）2＋（ｂ*）2）
に相当する領域に含まれる彩度の低い色のカラーパッチも１０％パッチ群５０１から削除される。このようなカラーパッチの削除は、裏を返せば、削除されずに残るカラーパッチの選択となっている。
【００７３】
図９には、図８に示す１０％パッチ群５０１から、上述した固定パッチ群の色と重複する色、暗い色、および彩度の低い色の各カラーパッチが削除された後のカラーパッチが、統計処理によって求められた頻度の順に所定の数だけ選択されて配列されてなる１０％パッチ群５０２が示されている。即ち、この図９に示す１０％パッチ群５０２を構成する各カラーパッチが、領域選択過程（ステップＳ１３）において優先順位をつけて選択された各領域を表している。
【００７４】
図１０には、印刷用のＣＭＹＫ色空間を５％ステップで分割した各領域を代表する各色のカラーパッチが、統計処理によって求められた頻度の順に配列されてなる５％パッチ群５０３が示されていて、ここでも、領域を代表する色として、各領域の中心点に相当する色が採用されている。また、５％パッチ群５０３の下には、各カラーパッチの色を表現したＣＭＹＫ値の表が示されている。この図１０に示す５％パッチ群５０３を構成する各カラーパッチの中にも、後述する図１２に示す網％データにより表される固定パッチ群を構成するカラーパッチと色が重複しているカラーパッチが存在する場合があるため、色が重複するカラーパッチは５％パッチ群５０３から削除される。また、印刷用のＣＭＹＫ色空間において
Ｌ*＜３０
に相当する領域に含まれる暗い色は、上述したように、本実施形態のカラーチャート作成方法によって作成されるカラーチャートを、後述するデバイスリンクプロファイルの修正に用いるにあたって、実用的なカラーマッチング精度を高める効果が小さいことから５％パッチ群５０３から削除される。また、５％ステップで色空間が分割された領域による色の頻度統計は、人の目の感度が高い、淡い色彩における傾向をプロファイルに反映させるためのものなので、印刷用のＣＭＹＫ色空間において
Ｃ*＞３５、但し、Ｃ*＝√（（ａ*）2＋（ｂ*）2）
に相当する領域に含まれる彩度の高い色のカラーパッチも５％パッチ群５０３から削除される。さらに、図９に示す、印刷用のＣＭＹＫ色空間を１０％ステップで分割した各領域を代表する各色のカラーパッチから選択された１０％パッチ群５０２と色が重複する各カラーパッチについても５％パッチ群５０３から削除される。
【００７５】
図１１には、図１０に示す５％パッチ群５０３の中から、上述した固定パッチ群の色と重複する色、暗い色、彩度の高い色、および図９に示す１０％パッチ群５０２の色と重複する色の各カラーパッチが削除された後のカラーパッチが、統計処理によって求められた頻度の順に所定の数だけ選択されて配列されてなる５％パッチ群５０４が示されている。この図１１に示す５％パッチ群５０４を構成する各カラーパッチも、領域選択過程（ステップＳ１３）において優先順位をつけて選択された各領域を表している。
【００７６】
次に、図４に示すチャート作成過程（ステップＳ１４）では、各所定色のカラーパッチからなる固定パッチ群と、領域選択過程（ステップＳ１３）で選択された各領域を代表する各色のカラーパッチが上記頻度の順に配列されてなる画像依存パッチ群とが並んだカラーチャートを表す、印刷用のＣＭＹＫ色空間で色を表現したチャートデータが作成される。
【００７７】
図１２は、図４に示すチャート作成過程（ステップＳ１４）における固定パッチ群に適用される印刷用のＣＭＹＫ色空間で色を表現した網％データの具体例を説明する説明図である。
【００７８】
図１２に示すように、固定パッチ群を構成する色は、印刷用のＣＭＹＫ４色それぞれについて網％を規則的に変化させたものである。
【００７９】
図１３は、図４に示すチャート作成過程（ステップＳ１４）で作成されたチャートデータが表すカラーチャートの一例を示す図である。
【００８０】
この図１３には、チャート作成過程（ステップＳ１４）で作成されたカラーチャートを表すチャートデータに基づいて実際に出力されたカラーチャート５００が示されている。このカラーチャート５００の上段には、印刷用のＣＭＹＫ４色それぞれについて網％を規則的に変化させた、図１２に示す網％データにより表される色のカラーパッチからなる固定パッチ群５０５が配置されている。また、このカラーチャート５００の下段には、図９に示す１０％パッチ群５０２、および図１１に示す５％パッチ群５０４からなる画像依存パッチ群５０６が配置されている。
【００８１】
以上説明したように、各所定色のカラーパッチからなる固定パッチ群と、取得されたカラー画像の各部の色が色空間上の複数の領域それぞれに出現する頻度が高い方から優先的に選択された各領域を代表する各色のカラーパッチからなる画像依存パッチ群とが並んだカラーチャートを作成するカラーチャート作成方法によれば、画像取得過程（ステップＳ１２）で取得するカラー画像として、図７に示す評価用画像４００のような、ユーザが重要と考える色を含んだカラー画像を用意し、用意したこのカラー画像を画像取得過程（ステップＳ１２）で取得することによって、このカラー画像に基づいた、後述するプロファイルの修正機能に好適なカラーチャートが作成されることとなる。
【００８２】
尚、本実施形態の説明では、本発明にいうチャート作成過程が、第２パッチ群として、領域選択過程で選択された各領域を代表する各色のカラーパッチが上記頻度の順に配列されてなる画像依存パッチ群を用いる例を挙げたが、本発明にいうチャート作成過程は、第２パッチ群として、領域選択過程で選択された各領域を代表する各色のカラーパッチからなるパッチ群を用いるものであってもよい。
【００８３】
また、本実施形態の説明では、本発明にいうチャート作成過程が、カラーチャートを表すチャートデータを作成する例を挙げたが、本発明にいうチャート作成過程は、カラーチャートを表すチャートデータに基づいて実際に出力された画像を作成するものであってもよい。
【００８４】
次に、パーソナルコンピュータ８０内に構築されたプロファイルの作成機能について説明する。
【００８５】
先ず、この作成機能による印刷プロファイルの作成方法について説明する。
【００８６】
図４〜図１３を参照して説明したカラーチャート作成方法によって作成された、固定パッチ群と画像依存パッチ群とが並んだカラーチャートを表す、印刷用のＣＭＹＫ色空間で色を表現したチャートデータに基づくカラーチャート画像を、図１に示す印刷およびプルーフ画像作成システムにおける印刷手順に従って、図１に示す印刷機４０で出力して、印刷物としてのカラーチャート（ここではカラーチャート５００；図１３参照）を作成する。このカラーチャート５００を構成する、固定パッチ群５０５と画像依存パッチ群５０６の各カラーパッチを、図１，図２に示す分光測色計７０で測色する。こうすることにより、印刷用のＣＭＹＫ色空間のＣＭＹＫ値と、Ｌ*ａ*ｂ*色空間のＬ*ａ*ｂ*値との対応関係を得る。
【００８７】
このようにして得られた対応関係は、カラーチャートを構成するカラーパッチの数に制限があるため、印刷用のＣＭＹＫ色空間のかなり粗い間隔の座標点についてのＣＭＹＫ値とＬ*ａ*ｂ*値との対応関係である。このため、この対応関係を得た後、この対応関係に補間演算等を適用して、印刷用のＣＭＹＫ空間での所望の細かい間隔の座標点に関する対応関係が定義された印刷プロファイルが作成される。尚、この対応関係に補間演算等を適用するにあたっては、例えば、特開２００３−２８９４４６号公報に開示されている、任意のカラーパッチを含むカラーチャートを用いてプロファイルを作成するプロファイル作成方法における演算方式等を適用することによって所望の印刷プロファイルを作成することができる。
【００８８】
次に、プリンタプロファイルの作成方法について説明する。
【００８９】
図１に示すパーソナルコンピュータ５０で、ＣＭＹＫ４色で表される網％データを各色について０％，１０％，…，１００％と順次変化させ、そのように順次発生させた網％データをプリンタ６０に送り、プリンタ６０でその網％データに基づくカラーチャートをプリント出力する。このカラーチャートを構成する各カラーパッチを、図１，図２に示す分光測色計７０で測色する。こうすることにより、プリンタ６０についての、プリンタ用のＣＭＹＫ色空間のＣＭＹＫ値と、Ｌ*ａ*ｂ*色空間のＬ*ａ*ｂ*値との対応関係を得る。
【００９０】
このようにして得られた対応関係は、上述した印刷プロファイルの作成の場合と同様、カラーチャートを構成するカラーパッチの数に制限があるため、プリンタ用のＣＭＹＫ色空間のかなり粗い間隔の座標点についてのＣＭＹＫ値とＬ*ａ*ｂ*値との対応関係であり、この対応関係に補間演算等を適用して、プリンタ用のＣＭＹＫ空間での所望の細かい間隔の座標点に関する対応関係が定義されたプリンタプロファイルが作成される。
【００９１】
このようにして作成された印刷プロファイルと、プリンタプロファイルの逆変換が定義された逆変換プリンタプロファイルとを結合させることによって、印刷用のＣＭＹＫ色空間で色を表現した画像データをプリンタ用のＣＭＹＫ色空間で色を表現した画像データに変換するデバイスリンクプロファイルが得られる。
【００９２】
図１に示す印刷およびプルーフ画像作成システムを構成するパーソナルコンピュータ８０でこのようにしてデバイスリンクプロファイルが作成されると、この作成されたデバイスリンクプロファイルは、図１に示すパーソナルコンピュータ５０にインストールされる。このパーソナルコンピュータ５０では、上述したように、ワークステーション２０から入力されたＰＤＬで記述された画像データが印刷用のＣＭＹＫ色空間で色を表現した画像データに変換される。その印刷用の画像データは、パーソナルコンピュータ５０にインストールされたデバイスリンクプロファイルが用いられてプリンタ用のＣＭＹＫ色空間で色を表現した画像データに変換され、プリンタ６０により、そのプリンタ用の画像データに基づく画像がプリント出力される。これにより、図１に示す印刷機４０で印刷される画像と色彩的に極力同一に似せたプルーフ画像が作成される。
【００９３】
ところが、「背景技術」の欄で説明したように、分光測色計７０による測定誤差や、プロファイルを作成しようとしている対象のデバイスにおける出力特性に起因したカラーパッチの色誤差や、肌色に代表される実用上の重要色のカラーパッチをカラーチャートに追加することによる色誤差などといった様々な誤差や変動要因によって、印刷物とプルーフ画像との間で色が微妙に食い違うという現象が生じるおそれがある。このような現象に対処するためには、印刷プロファイルや、プリンタプロファイルや、印刷プロファイルとプリンタプロファイルとを結合させたデバイスリンクプロファイルといった色変換定義を適切に修正することが望ましい。
【００９４】
そこで、以下では、図１４を参照して、パーソナルコンピュータ８０内に構築されたプロファイルの修正機能について説明する。尚、ここでは、デバイスリンクプロファイルを例として用いてプロファイルの修正方法について説明する。
【００９５】
図１４は、本発明の色変換定義修正方法の一実施形態を示すフローチャートである。
【００９６】
この色変換定義修正方法は、画像データに基づくカラー画像を出力する、本発明にいう第１のデバイスの一例に相当する印刷機４０に依存した印刷用のＣＭＹＫ色空間（本発明にいう第１デバイス色空間の一例）と、画像データに基づくカラー画像を出力する本発明にいう第２のデバイスの一例に相当するプリンタ６０に依存したプリンタ用のＣＭＹＫ色空間（本発明にいう第２デバイス色空間の一例）との間の色変換の関係を定義したデバイスリンクプロファイルを修正するデバイスリンクプロファイル修正方法であり、第１のチャート出力過程（ステップＳ２１）と、色変換過程（ステップＳ２２）と、第２のチャート出力過程（ステップＳ２３）と、差異測定過程（ステップＳ２４）、定義修正過程（ステップＳ２５）とから構成されている。
【００９７】
図１４に示すデバイスリンクプロファイル修正方法の第１のチャート出力過程（ステップＳ２１）は、図４〜図１３を参照して説明したカラーチャート作成方法によって作成された、固定パッチ群と画像依存パッチ群とが並んだカラーチャートを表す、印刷用のＣＭＹＫ色空間で色を表現したチャートデータ（このチャートデータは、本発明にいう第１チャートデータの一例に相当するものであり、以下、このチャートデータを第１チャートデータと称する）に基づいてカラーチャートを、図１に示す印刷機４０で出力するステップであるが、この第１のチャート出力過程（ステップＳ２１）における処理は、上述した印刷プロファイルの作成方法のうちの、印刷プロファイルを作成するにあたって実行された処理のうちの一部の処理と同様の処理である。従って、ここでは、第１のチャート出力過程（ステップＳ２１）は実行せずに、印刷プロファイルを作成する際に作成された、印刷物としてのカラーチャート（ここではカラーチャート５００；図１３参照）を、第１のチャート出力過程（ステップＳ２１）で得られたカラーチャートとして用いる。
【００９８】
図１４に示すデバイスリンクプロファイル修正方法の色変換過程（ステップＳ２２）では、上記第１チャートデータを、図１に示すパーソナルコンピュータ５０にインストールされたデバイスリンクプロファイルに基づいて、プリンタ用のＣＭＹＫ色空間で色を表現した第２チャートデータに変換する。この第２チャートデータは、本発明にいう第２チャートデータの一例に相当するものである。
【００９９】
次に、図１４に示すデバイスリンクプロファイル修正方法の第２のチャート出力過程（ステップＳ２３）では、色変換過程（ステップＳ２２）で得られた第２チャートデータに基づいてカラーチャートを、図１に示すプリンタ６０で出力する。
【０１００】
次に、図１４に示すデバイスリンクプロファイル修正方法の差異測定過程（ステップＳ２４）では、第１のチャート出力過程（ステップＳ２１）で出力されたカラーチャートの各カラーパッチと、第２のチャート出力過程（ステップＳ２３）で出力されたカラーチャートの各カラーパッチとを、図１，図２に示す分光測色計７０で測色することによって、それらのカラーチャート間で相互に対応するカラーパッチにおける色の差異を求める。
【０１０１】
次に、図１４に示すデバイスリンクプロファイル修正方法の定義修正過程（ステップＳ２５）では、差異測定過程（ステップＳ２４）で求められた差異のうち、画像依存パッチ群５０６のカラーパッチにおける差異を、固定パッチ群５０５のカラーパッチにおける差異よりも、後述するように重視して、図１に示すパーソナルコンピュータ５０にインストールされたデバイスリンクプロファイルを修正する。
【０１０２】
デバイスリンクプロファイルの具体的な修正方法については、例えば、特開２０００−２７８５４７号公報に開示されている修正方法等を適用することができ、このような修正方法によってデバイスリンクプロファイルを修正することができる。
【０１０３】
この図１４に示すデバイスリンクプロファイル修正方法が繰り返し実行されることによってデバイスリンクプロファイルの精度が次第に向上する。デバイスリンクプロファイル修正方法を繰り返すにあたっては、１回目の修正では、差異測定過程（ステップＳ２４）で求められた、固定パッチ群５０５のカラーパッチにおける差異、および画像依存パッチ群５０６のカラーパッチにおける差異の双方の差異を用いてデバイスリンクプロファイルを修正する。また、２回目以降の修正では、差異測定過程（ステップＳ２４）で求められたのうち、ユーザによるプリンタ６０の再現性評価に望ましい評価用画像４００（図７参照）に基づいて作成された画像依存パッチ群５０６のカラーパッチにおける差異を重視して、この差異のみを用いてデバイスリンクプロファイルを修正する。
【０１０４】
この画像依存パッチ群５０６は、固定パッチ群５０５のカラーパッチ数よりも少ないカラーパッチ数を有するが、評価用画像４００（図７参照）の色の傾向が反映されたものであるため、この画像依存パッチ群５０６のカラーパッチにおける差異が重視された修正によってプロファイルが効率良く修正されることとなる。また、この画像依存パッチ群５０６は、色の頻度の順にカラーパッチが配列されてなるものであるため、定義修正過程（ステップＳ２５）でプロファイルを修正する際に、例えば、上記頻度の上位のカラーパッチをユーザが手動で選択してプロファイルの修正に適用するといった応用も可能である。
【０１０５】
尚、本実施形態の説明では、本発明にいう定義修正過程が、１回目の修正では、固定パッチ群５０５のカラーパッチにおける差異、および画像依存パッチ群５０６のカラーパッチにおける差異の双方の差異を用いてデバイスリンクプロファイルを修正し、２回目以降の修正では、画像依存パッチ群５０６のカラーパッチにおける差異のみを用いてデバイスリンクプロファイルを修正する例を挙げたが、本発明にいう定義修正過程は、例えば、画像依存パッチ群５０６のカラーパッチにおける差異のみを用いてデバイスリンクプロファイルを修正するものであってもよく、あるいは、重み付けによって、画像依存パッチ群５０６のカラーパッチにおける差異を、固定パッチ群５０５のカラーパッチにおける差異よりも重視してデバイスリンクプロファイルを修正するものであってもよい。
【図面の簡単な説明】
【０１０６】
【図１】本発明の一実施形態が適用された印刷およびプルーフ画像作成システムの全体構成図である。
【図２】図１にブロックで示す分光測色計およびパーソナルコンピュータの外観斜視図である。
【図３】図２に示すパーソナルコンピュータのハードウェア構成図である。
【図４】本発明のカラーチャート作成方法の一実施形態を示すフローチャートである。
【図５】本発明のカラーチャート作成プログラムの一実施形態を示した図である。
【図６】本発明のカラーチャート作成装置の一実施形態を示す機能ブロック図である。
【図７】図４に示すカラーチャート作成方法の画像取得過程（ステップＳ１２）で取得されたカラー画像の一例を示す図である。
【図８】図４に示す領域選択過程（ステップＳ１３）における領域選択の第１の手順を説明する説明図である。
【図９】図４に示す領域選択過程（ステップＳ１３）における領域選択の第１の手順で選択された領域を表す図である。
【図１０】図４に示す領域選択過程（ステップＳ１３）における領域選択の第２の手順を説明する説明図である。
【図１１】図４に示す領域選択過程（ステップＳ１３）における領域選択の第２の手順で選択された領域を表す図である。
【図１２】図４に示すチャート作成過程（ステップＳ１４）における固定パッチ群に適用される印刷用のＣＭＹＫ色空間で色を表現した網％データの具体例を説明する説明図である。
【図１３】図４に示すチャート作成過程（ステップＳ１４）で作成されたチャートデータが表すカラーチャートの一例を示す図である。
【図１４】本発明の色変換定義修正方法の一実施形態を示すフローチャートである。
【符号の説明】
【０１０７】
１０    カラースキャナ
１１    原稿画像
２０    ワークステーション
３０    フィルムプリンタ
４０    印刷機
４１    印刷画像
５０    パーソナルコンピュータ
６０    プリンタ
６１    プルーフ画像
７０    分光測色計
８０    パーソナルコンピュータ
８１    本体装置
８１ａ    ＦＤ装填口
８１ｂ    ＣＤ−ＲＯＭ装填口
８１１    ＣＰＵ
８１２    主メモリ
８１３    ハードディスク装置
８１４    ＦＤドライブ
８１５    ＣＤ−ＲＯＭドライブ
８１６    Ｉ／Ｏインタフェース
８２    画像表示装置
８２ａ    表示画面
８３    キーボード
８４    マウス
８５    バス
９０    カラーチャート
９１    ケーブル
１００    ＦＤ
１１０    ＣＤ−ＲＯＭ
２１０    カラーチャート作成プログラム
２１１    画像取得部
２１２    間引き処理部
２１３    領域選択部
２１４    チャート作成部
３００    カラーチャート作成装置
３１１    画像取得部
３１２    間引き処理部
３１３    領域選択部
３１４    チャート作成部
４００    評価用画像
４０１，４０２，４０３，４０４，４０５    画像
５００    カラーチャート
５０１    １０％パッチ群
５０２    １０％パッチ群
５０３    ５％パッチ群
５０４    ５％パッチ群
５０５    固定パッチ群
５０６    画像依存パッチ群
【図１】
2006197457.tif 000003
【図２】
2006197457.tif 000004
【図３】
2006197457.tif 000005
【図４】
2006197457.tif 000006
【図５】
2006197457.tif 000007
【図６】
2006197457.tif 000008
【図７】
2006197457.tif 000009
【図８】
2006197457.tif 000010
【図９】
2006197457.tif 000011
【図１０】
2006197457.tif 000012
【図１１】
2006197457.tif 000013
【図１２】
2006197457.tif 000014
【図１３】
2006197457.tif 000015
【図１４】
2006197457.tif 000016